(57)【要約】【課題】  漏水リスクを低減できる防水シート屋根の２次止水構造を提供する。【解決手段】  折板からなる屋根下地材１を溝長さ方向が水勾配に沿うように複数枚設置する。最水下側の屋根下地材１の下端を、屋根面より立ち上がるパラペット等の外壁２の外壁面に沿わせる。屋根下地材１上には、断熱材３および防水シート４を敷設する。最水下側の屋根下地材１の下端と外壁面との間に沿って、屋根下地材１から流下する水を受ける２次止水用の排水横樋１２を設ける。【選択図】      図２
2007314949.tif 000002
【特許請求の範囲】
【請求項１】
折板からなる屋根下地材を溝長さ方向が水勾配に沿うように複数枚設置し、最水下側の屋根下地材の下端を、屋根面より立ち上がる外壁の外壁面に沿わせ、前記屋根下地材上に断熱材および防水シートを敷設した防水シート屋根において、前記最水下側の屋根下地材の下端と外壁面との間に沿って、屋根下地材から流下する水を受ける２次止水用の排水横樋を設けたことを特徴とする防水シート屋根の２次止水構造。
【請求項２】
請求項１において、前記排水横樋に排水経路を接続し、この排水経路の途中に、水検知用のセンサを設置し、または排水経路を流れる水を目視可能とする点検口を設けた防水シート屋根の２次止水構造。
【発明の詳細な説明】
【技術分野】
【０００１】
この発明は、折板からなる屋根下地材上に断熱材および防水シートを敷設した防水シート屋根の２次止水構造に関する。
【背景技術】
【０００２】
従来より、建築物などの屋根として、屋根下地材となるデッキプレートの上面に断熱材を敷設し、その上を防水シートで覆った乾式断熱屋根工法の防水シート屋根が知られている（特許文献１）。
このほか、断熱材や防水シートを用いず、単にデッキプレート等の折板を羽目板張りした折板屋根や、金属板を羽目板張りした金属サイディング系屋根も知られている。
【特許文献１】特開平４−２５４６４９号公報
【発明の開示】
【発明が解決しようとする課題】
【０００３】
しかし、上記した乾式断熱屋根工法の防水シート屋根では、防水シートが何らかの作用で破れた場合、屋根下地材となるデッキプレート上に水が浸入し、その水がデッキプレートのジョイント部から天井面・室内へと漏水するという問題がある。
また、上記した折板屋根や金属サイディング系屋根の場合でも、１次止水面である折板や金属板のジョイント部から水が浸入すると、室内への漏水となる。
【０００４】
この発明の目的は、防水シートが飛散物等により傷つけられることが生じても、２次止水により漏水リスクを低減できる防水シート屋根の２次止水構造を提供することである。  この発明の他の目的は、水の浸入の確認が可能な防水シート屋根の２次止水構造を提供することである。
【課題を解決するための手段】
【０００５】
この発明の防水シート屋根の２次止水構造は、折板からなる屋根下地材を溝長さ方向が水勾配に沿うように複数枚設置し、最水下側の屋根下地材の下端を、屋根面より立ち上がる外壁の外壁面に沿わせ、前記屋根下地材上に断熱材および防水シートを敷設した防水シート屋根において、前記最水下側の屋根下地材の下端と外壁面との間に沿って、屋根下地材から流下する水を受ける２次止水用の排水横樋を設けたことを特徴とする。
この構成によると、飛散物などにより防水シートの一部が傷付けられても、その傷部から浸水した水滴は、屋根下地材に沿って２次止水用の排水横樋に流下する。このため、天井面や室内等への漏水のリスクを低減できる。
【０００６】
この発明において、前記排水横樋に排水経路を接続し、この排水経路の途中に、水検知用のセンサを設置し、または排水経路を流れる水を目視可能とする点検口を設けても良い。
この構成の場合、屋根下地材に沿って２次止水用の排水横樋に流下した水が、さらに排水経路を経て外部に排水される。このため、排水経路の途中に設置されたセンサにより、あるいは排水経路の途中に設置された点検口により水の浸入の確認が可能となる。
【発明の効果】
【０００７】
この発明の防水シート屋根の２次止水構造は、折板からなる屋根下地材を溝長さ方向が水勾配に沿うように複数枚設置し、最水下側の屋根下地材の下端を、屋根面より立ち上がる外壁の外壁面に沿わせ、前記屋根下地材上に断熱材および防水シートを敷設した防水シート屋根において、前記最水下側の屋根下地材の下端と外壁面との間に沿って、屋根下地材から流下する水を受ける２次止水用の排水横樋を設けたため、漏水リスクを低減できる。
【発明を実施するための最良の形態】
【０００８】
この発明の一実施形態を図１ないし図３と共に説明する。図１は、この実施形態の防水シート屋根の２次止水構造の施工途中の断面図であり、図２はその施工完了状態の断面図を示す。
この防水シート屋根は、折板であるデッキプレートからなる屋根下地材１を、溝長さ方向が水勾配に沿うように、幅方向および水勾配の上下方向にそれぞれ複数枚並べて設置し、最水下側の屋根下地材１の水下端を、屋根面より立ち上がるパラペット等の外壁２に沿わせ、屋根下地材１上に断熱材３および防水シート４を敷設したものである。
【０００９】
屋根下地材１は、その溝長さ方向と交差する方向に沿って配置される溝形鋼などからなるフレーム５の上にビス６で固定される。前記フレーム５は、Ｈ形鋼からなる鉄骨梁７の上に、連結部材８を介して連結支持されている。各屋根下地材１は、その水上端が図３のようにエンドクローズ加工部１ａとされ、そのエンドクローズ加工部１ａの上に水上側に隣接する別の屋根下地材１の水下端が重ねられてドリルねじ９で締結される。断熱材３は、ディスク１０が装着されたビス１１により屋根下地材１に固定される。防水シート４は断熱材３の上から外壁２の内壁面および上端面にまたがって覆われ、断熱材３の上では例えば前記ビス１１のディスク１０に融着固定される。
【００１０】
最水下側の屋根下地材１の水下端と外壁２の内壁面との間には、この隙間空間に沿って、屋根下地材１から流下する水を受ける２次止水用の排水横樋１２が設けられている。この排水横樋１２には、外壁２の内壁面に沿って垂下した竪樋からなる排水経路１３が接続されている。
この排水経路１３の途中に、水検知用のセンサ１４が設置される。なお、排水経路１３の途中に、前記センサ１４に代えて、あるいはセンサ１４と共に、排水経路１３を流れる水を目視可能とする点検口１５を設けても良い。
【００１１】
この防水シート屋根の２次止水構造によると、飛散物などにより防水シート４の一部Ａが傷付けられても、その傷部Ａから浸水した水滴１６は、図２に矢印で示すように屋根下地材１に沿って２次止水用の排水横樋１２に流下し、さらに竪樋からなる排水経路１３を経て外部に排水される。このため、天井面や室内への漏水のリスクを低減できる。この２次止水構造によると結露水の排水もできるので、寒冷地における結露に伴う漏水も低減できる。
また、排水経路１３に設けた水検知用のセンサ１４や点検口１５によって、防水シート４の内側に水が浸入したことを、自動的に、あるいは目視により確認できるので、漏水の危険を予知できる。この場合に、排水横樋１３の設置区間を複数区画に分けて、各区画ごとにそれぞれ別の排水経路１３を設ければ、屋根のどの範囲で浸水異常が生じたかを知ることができる。
また、この防水シート屋根では、その施工時において、防水工事完了前には、屋根下地材１による２次止水構造が仮設の屋根として機能すると共に、屋根の取付けが終了した時点では、屋根下を雨から守られた空間として資材置場等に活用できる。
【００１２】
なお、上記実施形態では、デッキプレートからなる屋根下地材１の水上端をエンドクローズ加工部１ａとして、そのエンドクローズ加工部１ａの上に水上側に隣接する別の屋根下地材１の水下端を重ねたが、これに限らず図４に断面図で示すように、エンドクローズ加工を施さない屋根下地材１の水上端の上に、水上側に隣接する別の屋根下地材１の水下端をそのまま重ねても良い。この場合、重ねられる両屋根下地材１，１の間に、ブチルテープや発泡ゴム材などの止水材を配置すれば、両屋根下地材１，１間の止水性を高めることができる。
【図面の簡単な説明】
【００１３】
【図１】この発明の一実施形態にかかる防水シート屋根の２次止水構造の施工途中の状態を示す断面図である。
【図２】同防水シート屋根の２次止水構造の施工完了の状態を示す断面図である。
【図３】同防水シート屋根の２次止水構造における屋根下地材の重なり部分を示す斜視図である。
【図４】屋根下地材の重なり部分の他の例を示す断面図である。
【符号の説明】
【００１４】
１…屋根下地材
２…外壁
３…断熱材
４…防水シート
１２…排水横樋
１３…排水経路
１４…水検知用のセンサ
１５…点検口
【図１】
2007314949.tif 000003
【図２】
2007314949.tif 000004
【図３】
2007314949.tif 000005
【図４】
2007314949.tif 000006